(57)【要約】【課題】内部の信号経路が短くなる構成にして、製造工程数及び部品点数の減少と製造コストの低減化を図り、しかも、状況に応じて適切な周波数の無線通信が可能なＰＣカードモジュールを提供する。【解決手段】ＰＣカードモジュール１を脱着自在なカードアダプタ２とカード３とで構成する。ＢＢ部２３をカードアダプタ２に収納し、ＲＦ部３１とアンテナ部３２とをカード３に収納する。カードアダプタ２では、ノート型パソコン２００のカードスロット２０１に接続する第１コネクタ部２０，ＢＢ部２３及び第２コネクタ部２１を信号経路パターン５０，５１で接続する。カード３では、第２コネクタ部２１と接続するためのカードコネクタ部３０，ＲＦ部３１及びアンテナ部３２を信号経路パターン５２，５３で接続する。これにより、信号は、モジュール１内を蛇行することなく、第１コネクタ部２０とアンテナ部３２との間を行き来する。【選択図】      図１
2004362131.tif 000002
【特許請求の範囲】
【請求項１】
板状部材からなり、一端部に第１コネクタ部を、他端部に第２コネクタ部をそれぞれ有し、上記第１コネクタ部を介してコンピュータのカードスロットに接続することができるカードアダプタと、
板状部材からなり、一端部にカードコネクタ部を有し、上記カードアダプタの第２コネクタ部と当該カードコネクタ部とを接続することで、カードアダプタに対し脱着自在に取り付けることができるカードとを備えるＰＣカードモジュールであって、
上記第１コネクタ部と第２コネクタ部間に接続され、上記コンピュータとの間でベースバンド信号を入力出力するためのＬＡＮ回路又はモデム回路を含むベースバンド部を、上記カードアダプタ内に収納し、
上記カードコネクタ部に接続され、カードコネクタ部を介して上記ベースバンド部との間で送信信号，受信信号を入出力する無線通信回路を含んだ高周波部を、上記カード内に収納すると共に、
当該カードの他端側に上記高周波部に接続されたアンテナ部を設けた、
ことを特徴とするＰＣカードモジュール。
【請求項２】
請求項１に記載のＰＣカードモジュールにおいて、
上記カードアダプタのベースバンド部は、複数種類の周波数帯に対応し、選択された一の周波数帯で機能するものであり、
上記カードの高周波部は、上記複数種類の周波数帯に対応し、上記選択された一の周波数帯を用いて機能するものである、
ことを特徴とするＰＣカードモジュール。
【請求項３】
請求項１に記載のＰＣカードモジュールにおいて、
上記カードアダプタのベースバンド部は、複数種類の周波数帯に対応し、選択された一の周波数で機能するものであり、
上記カードは、上記周波数帯の種類数だけ用意され、各カードの高周波部は、他の各カードの高周波部の周波数帯とは異なる一の周波数帯で機能するものである、
ことを特徴とするＰＣカードモジュール。
【請求項４】
請求項１に記載のＰＣカードモジュールにおいて、
上記カードアダプタは、複数用意され、各カードアダプタのベースバンド部は、他の各カードアダプタのベースバンド部の周波数帯とは異なる一の周波数帯で機能するものであり、
上記カードの高周波部は、上記複数のカードアダプタで用いられている複数種類の周波数帯に対応し、当該カードが接続されたカードアダプタのベースバンド部に用いられている一の周波数帯で機能するものである、
ことを特徴とするＰＣカードモジュール。
【請求項５】
請求項１ないし請求項４のいずれかに記載のＰＣカードモジュールにおいて、
上記カードのアンテナ部を分離し、アンテナ部が分離されたカードの端部に第３コネクタ部を設けると共に、第４コネクタ部をアンテナ部に設け、これら第３及び第４コネクタ部を接続することでアンテナ部をカードに脱着自在に取り付けることができるようにした、
ことを特徴とするＰＣカードモジュール。
【発明の詳細な説明】
【０００１】
【発明の属する技術分野】
本発明はノート型パソコン（Ｎｏｔｅ  ｔｙｐｅ  Ｐｅｒｓｏｎａｌ  Ｃｏｍｐｕｔｅｒ）等のカードスロットに挿入して使用する無線通信用のＰＣカードモジュール、特に、国内標準規格であるＪＥＩＤＡ（日本電子工業振興協会）ＶＥＲ４．１以上又は米国の規格であるＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）  ＶＥＲ２．０以上の規格に適合したＰＣカードモジュールに関するものである。
【０００２】
【従来の技術】
従来、この種のＰＣカードモジュールには、カードアダプタとカードとを組合せて１枚のカードを構成するものがある（例えば特許文献１に記載の技術）。
図８は、かかる従来のＰＣカードモジュールを示す概略図である。
図８に示すように、このＰＣカードモジュールは、カードアダプタ１００とカード１１０とを備えている。
このＰＣカードモジュールは、無線ＬＡＮカードであり、変復調部としてのＲＦ部１０１がカードアダプタ１００に内蔵され、ベースバンド信号を処理するＢＢ部１１１がカード１１０に内蔵されている。また、カード１１０には、アンテナ収納部１１２が設けられている。
このようなカードアダプタ１００とカード１１０は脱着可能である。すなわち、カードアダプタ１００の右側部とカード１１０の左側部とにそれぞれコネクタが設けられ（図示せず）、これらのコネクタを接続することで、カードアダプタ１００とカード１１０とを１枚のＰＣカードとして使用することができるようになっている。
【０００３】
上記従来のＰＣカードモジュールが、かかる構成をとることにより、カード１１０と一体になったカードアダプタ１００の左側部を図示しないノート型パソコンのカードスロットに挿入し、カードアダプタ１００のコネクタ１０２をカードスロット内のコネクタに接続した後、当該パソコン側からデータの送受信指令を行うと、このＰＣカードモジュールを介して、当該パソコンと図示しないアクセスポイントとの間で、データの送受信を行うことができる。
【０００４】
【特許文献１】
特開平９−８３５３８号公報
【０００５】
【発明が解決しようとする課題】
しかし、上記した従来のＰＣカードモジュールでは、次のような問題がある。従来のＰＣカードモジュールでは、ＲＦ部１０１がカードアダプタ１００に内蔵され、ＢＢ部１１１及びアンテナ収納部１１２がカード１１０に内蔵された構成であるので、パソコン内のデータを送信する際、図９に示すように、当該データの信号は、カードアダプタ１００を通ってカード１１０のＢＢ部１１１に至り、ＢＢ部１１１からカードアダプタ１００のＲＦ部１０１に戻る。そして、ＲＦ部１０１からカード１１０に再度戻り、アンテナ収納部１１２から発信される。すなわち、信号がＰＣカードモジュール内全体を蛇行するため、信号経路の全長が非常に長い。アンテナ収納部１１２から受信した信号も同様であり、ＰＣカードモジュール内全体を蛇行してパソコンに入力される。
このように、従来のＰＣカードモジュールでは、非常に長い信号経路を内部に形成しなければならないため、製造工程数の増加や部品点数の増加を招き、製造コストが高く付くことになる。特に、信号がカードアダプタ１００とカード１１０との間で往復するため、カードアダプタ１００とカード１１０とを接続するコネクタに多数のピンが必要となる。
さらに、信号経路が長いので、雑音が侵入しやすい。従って、雑音除去回路を特設しなければならないので、その分、製造工程数及び部品点数が増加すると共に、製造コストが高くなる。
【０００６】
この発明は上述した課題を解決するためになされたもので、内部の信号経路が短くなる構成にして、製造工程数及び部品点数の減少と製造コストの低減化を図り、しかも、状況に応じて適切な周波数の無線通信が可能なＰＣカードモジュールを提供することを目的とするものである。
【０００７】
【課題を解決するための手段】
上記課題を解決するために、請求項１の発明は、板状部材からなり、一端部に第１コネクタ部を、他端部に第２コネクタ部をそれぞれ有し、第１コネクタ部を介してコンピュータのカードスロットに接続することができるカードアダプタと、板状部材からなり、一端部にカードコネクタ部を有し、カードアダプタの第２コネクタ部と当該カードコネクタ部とを接続することで、カードアダプタに対し脱着自在に取り付けることができるカードとを備えるＰＣカードモジュールであって、第１コネクタ部と第２コネクタ部間に接続され、コンピュータとの間でベースバンド信号を入力出力するためのＬＡＮ回路又はモデム回路を含むベースバンド部を、カードアダプタ内に収納し、カードコネクタ部に接続され、カードコネクタ部を介してベースバンド部との間で送信信号，受信信号を入出力する無線通信回路を含んだ高周波部を、カード内に収納すると共に、当該カードの他端側に高周波部に接続されたアンテナ部を設けた構成としてある。
かかる構成により、カードアダプタを第１コネクタ部を介してコンピュータのカードスロットに接続すると共に、カードコネクタ部を第２コネクタ部に接続して、カードをカードアダプタに脱着自在に取り付けることができる。この状態で、コンピュータからのベースバンド信号は、第１コネクタ部を介して直接カードアダプタのベースバンド部に入力され、このベースバンド部からの送信信号が第２及びカードコネクタ部を介して直接カードの高周波部に入力される。そして、高周波部で所定の処理をされた送信信号が、カードのアンテナ部から送信される。また、カードのアンテナ部で受信された受信信号は、高周波部からカードコネクタ部及び第２コネクタ部を介してカードアダプタのベースバンド部に直接出力される。そして、その信号がベースバンド部から第１コネクタ部を介してコンピュータにベースバンド信号として直接入力される。
【０００８】
また、請求項２の発明は、請求項１に記載のＰＣカードモジュールにおいて、カードアダプタのベースバンド部は、複数種類の周波数帯に対応し、選択された一の周波数帯で機能するものであり、カードの高周波部は、複数種類の周波数帯に対応し、選択された一の周波数帯を用いて機能するものである構成とした。
かかる構成により、複数種類の周波数帯の中から一の周波数帯を任意選択し、この周波数帯での通信を行うことができる。
【０００９】
また、請求項３の発明は、請求項１に記載のＰＣカードモジュールにおいて、カードアダプタのベースバンド部は、複数種類の周波数帯に対応し、選択された一の周波数で機能するものであり、カードは、周波数帯の種類数だけ用意され、各カードの高周波部は、他の各カードの高周波部の周波数帯とは異なる一の周波数帯で機能するものである構成とした。
かかる構成により、所望の周波数で機能するカードをカードアダプタに取り付けることで、当該周波数での無線通信が可能となる。この結果、その場に適したカードを使用することで、通信がしにくい環境においても容易に通信することができる。
【００１０】
また、請求項４の発明は、請求項１に記載のＰＣカードモジュールにおいて、カードアダプタは、複数用意され、各カードアダプタのベースバンド部は、他の各カードアダプタのベースバンド部の周波数帯とは異なる一の周波数帯で機能するものであり、カードの高周波部は、複数のカードアダプタで用いられている複数種類の周波数帯に対応し、当該カードが接続されたカードアダプタのベースバンド部に用いられている一の周波数帯で機能するものである構成とした。
かかる構成により、所望の周波数で機能するカードアダプタをカードに取り付けることで、当該周波数での無線通信が可能となる。
【００１１】
さらに、請求項５の発明は、請求項１ないし請求項４のいずれかに記載のＰＣカードモジュールにおいて、カードのアンテナ部を分離し、アンテナ部が分離されたカードの端部に第３コネクタ部を設けると共に、第４コネクタ部をアンテナ部に設け、これら第３及び第４コネクタ部を接続することでアンテナ部をカードに脱着自在に取り付けることができるようにした構成としてある。
かかる構成により、所望の性能のアンテナ部を選択して、カードに取り付けることで、より良い通信状態を得ることができる。
【００１２】
【発明の実施の形態】
以下、この発明の実施の形態について図面を参照して説明する。
（第１実施形態）
図１は、この発明の第１実施形態に係るＰＣカードモジュールを示す斜視図であり、図２はカードアダプタ２とカード３との電気的構造を示す概略平面図であり、図３はカードアダプタとカードとを組み付けた状態を示す斜視図である。
図１において、符号１がＰＣカードモジュールであり、このＰＣカードモジュール１は、ＪＥＩＤＡＶＥＲ４．１以上又はＰＣＭＣＩＡＶＥＲ２．０以上の規格に適合した幅と厚さを有した板状部材からなるカードアダプタ２とカード３とでなる。これらカードアダプタ２とカード３とは脱着自在に取り付けることができ、これらを取り付けることで、無線ＬＡＮのＰＣカードモジュール１を構成する。
【００１３】
カードアダプタ２は、ノート型パソコン２００のデータバスに連結したカードスロット２０１に挿入する部分であり、その一端部としての後端部（図の左側端部）に設けられたピンジャック構造の第１コネクタ部２０を介してノート型パソコン２００に設けられているカードスロット２０１のデータバスと電気的に接続することができるようになっている。また、カードアダプタ２の他端部としての前端部には、ピンプラグ構造の第２コネクタ部２１が設けられており、カード３との電気的接続を可能にしている。
【００１４】
このカードアダプタ２には、図１及び図２に示すように、ベースバンド部２３（以下「ＢＢ部２３」と記す）が収納されている。
ＢＢ部２３は、第１コネクタ部２０と第２コネクタ部２１との間に接続された周知のＬＡＮ回路であり、図示しないコントローラによって、ノート型パソコン２００からのベースバンド信号Ｂを入力してネットワーク用の送信信号Ｔに変調する機能を有してる。さらに、ＢＢ部２３は、カード３からの受信信号Ｒをベースバンド信号Ｂに復調してノート型パソコン２００に出力する機能を有している。
また、このようなＢＢ部２３は、２．４ＧＨｚと５．０ＧＨｚの２種類の周波数帯に対応している。すなわち、カードアダプタ２は、ＢＢ部２３が２．４ＧＨｚと５．０ＧＨｚの２種類の周波数帯のうちの一の周波数帯を任意に選択し、選択した一の周波数で入力信号を変復調することができる機能を有した所謂コンボモデル（ｃｏｍｂｏ  ｍｏｄｅｌ）である。
【００１５】
一方、カード３は、上記カードアダプタ２に取り付ける部分であり、その一端部としての後端部に設けられたピンジャック構造のカードコネクタ部３０をカードアダプタ２の第２コネクタ部２１に接続することで、カード３をカードアダプタ２に電気的に接続することができるようになっている。
このカード３には、高周波部３１（以下「ＲＦ部３１」と記す）とアンテナ部３２とが収納されている。
【００１６】
ＲＦ部３１は、カードコネクタ部３０に接続された周知の無線通信回路であり、図示しない拡散符号発生器と乗算器などによって、カードアダプタ２のＢＢ部２３からの送信信号Ｔをスペクトラム拡散で変調する機能と、アンテナ部３２からの受信信号Ｒ′をスペクトラム逆拡散で復調してカードアダプタ２側に出力する機能と有している。
また、このＲＦ部３１も、２．４ＧＨｚと５．０ＧＨｚの２種類の周波数帯に対応している。すなわち、カード３は、２．４ＧＨｚと５．０ＧＨｚの２種類の周波数帯のうち、カードアダプタ２側で選択された一の周波数帯を用いて上記変復調を行うことができる所謂コンボモデルである。
【００１７】
アンテナ部３２は、カードアダプタ２の他端側としての前部に設けられ、ＲＦ部３１に接続されたアンテナ回路３２ａを含む。このアンテナ部３２は、基板上に誘電体を積層し、当該誘電体上に金属のアンテナ回路３２ａをパターン形成したもので、アンテナ部３２の小型化が図られている。
【００１８】
なお、図１において、符号４は保持機構であり、この保持機構４は、カードアダプタ２の前両側端部からカード３側に延出した一対のガイド４０，４０と、カード３の後両側部に形成された一対の切欠部４１，４１とで構成されている。これにより、カード３の切欠部４１，４１をカードアダプタ２のガイド４０，４０の溝４０ａ，４０ａ内に挿入して、カード３のカードコネクタ部３０をカードアダプタ２の第２コネクタ部２１に接続することで、図３に示すように、カードアダプタ２とカード３とが電気的に接続されると共に、カード３が保持機構４によって着脱自在に保持される。
【００１９】
次に、この実施形態のＰＣカードモジュールが示す動作について説明する。
図４は、カードアダプタ２とカード３との電気的接続状態を示す概略平面図である
まず、図３及び図４に示すように、カード３の切欠部４１，４１をカードアダプタ２のガイド４０，４０に挿入することで、カードコネクタ部３０を第２コネクタ部２１に接続し、カードアダプタ２とカード３とを一体にした状態にする。かかる状態で、カードアダプタ２の後端部をノート型パソコン２００のカードスロット２０１（図１参照）内に挿入し、第１コネクタ部２０をカードスロット２０１のデータバスと電気的に接続する。
【００２０】
かかる状態で、ベースバンド信号Ｂが、ノート型パソコン２００からカードスロット２０１を介してカードアダプタ２の第１コネクタ部２０に送られると、ベースバンド信号Ｂは、カードアダプタ２内の信号経路パターン５０を通ってＢＢ部２３に入力される。すると、ベースバンド信号Ｂは、２．４ＧＨｚと５．０ＧＨｚの２種類の周波数帯のうちの選択された一の周波数、例えば５．０ＧＨｚの周波数帯によってネットワーク用の送信信号Ｔに変調された後、信号経路パターン５１に出力される。そして、送信信号Ｔは、第２コネクタ部２１及びカードコネクタ部３０から信号経路パターン５２を通って、カード３のＲＦ部３１に入力される。
【００２１】
すると、送信信号Ｔは、５．０ＧＨｚの周波数帯を用いて変調された後、変調送信信号Ｔ′として、信号経路パターン５３を介してアンテナ部３２に出力され、アンテナ回路３２ａから電波となって発信される。
【００２２】
一方、アンテナ部３２で受信された受信信号Ｒ′は、信号経路パターン５３を介してＲＦ部３１に入力され、５．０ＧＨｚの周波数帯を用いて復調され後、復調後の受信信号Ｒが信号経路パターン５２，カードコネクタ部３０，第２コネクタ部２１，信号経路パターン５１を介してＢＢ部２３に入力される。すると、受信信号Ｒが、ＢＢ部２３において、５．０ＧＨｚの周波数帯でベースバンド信号Ｂに復調され、そのベースバンド信号Ｂが信号経路パターン５０，第１コネクタ部２０，カードスロット２０１を介してノート型パソコン２００に入力される。
【００２３】
また、５．０ＧＨｚの周波数帯を用いると、近距離間で大きなデータ量の無線通信が可能であるが、遠距離間では、大データ量の通信が困難になる。かかる場合には、ＰＣカードモジュール１のＢＢ部２３において、２．４ＧＨｚの周波数帯を選択することで、安定したデータ通信を行うことができる。
【００２４】
以上のように、この実施形態のＰＣカードモジュール１によれば、ノート型パソコン２００からの信号が、図９に示した従来のＰＣカードモジュールのようにカードアダプタ２とカード３間を蛇行することなく、図４に示すように、ＢＢ部２３、ＲＦ部３１、アンテナ部３２の順で直接伝わる。また、アンテナ部３２で受信された信号も、ＲＦ部３１、ＢＢ部２３の順で直接伝わる。即ち、ＰＣカードモジュール１の内部の信号経路５０〜５３を、図８に示した従来のＰＣカードモジュールに比べて極めて短くすることができるので、製造工程数やコネクタ部のピン等の部品点数を減少させることができる。また、外部のノイズが信号経路パターン５０〜５３に侵入するおそれも少なく、そのため、雑音除去回路を特設する必要がない。この結果、この実施形態のＰＣカードモジュール１を適用することで、製造コストの低減化を図ることができる。
さらに、近年のネットワークシステムの大規模化に伴い、ＢＢ部に高処理能力のコントローラなどが使用されると共に、その回路規模も大きくなり、ＢＢ部のチップ自体が大型化している。このため、ノート型パソコンからＢＢ部に供給する電源も大きなものが必要となる。対して、ＲＦ部は、近年の回路設計技術と半導体製造技術の向上に伴い、回路規模が小さくなり、ＲＦ部のチップ自体が小型化している。このため、ノート型パソコンからＲＦ部に供給する電源に大きなものを必要としない。
このような技術的状況下にあるにもかかわらず、上記従来のＰＣカードモジュールでは、大きな電源を必要とするＢＢ部１１１がノート型パソコンから遠く離れたカード１１０に設けられ、大きな電源を必要としないＲＦ部１０１がノート型パソコンに近いカードアダプタ１００に設けられているため、ＢＢ部１１１への電源供給を十分に行うことができない。このため、ＢＢ部１１１のための電源回路をカード１１０内に特設する必要が生じ、その分製造コストの増大を招く。これに対して、この実施形態のＰＣカードモジュール１では、近年の技術状況下に対応させて、大きな電源を必要とするＢＢ部２３をノート型パソコン２００の近くに位置するカードアダプタ２に設け、大きな電源を必要としないＲＦ部３１をノート型パソコン２００から離れたカード３に設けた構成としたので、ＢＢ部２３及びＲＦ部３１への電源供給はノート型パソコン２００からの電源のみで十分である。このため、ＢＢ部２３のための電源回路を特設する必要がなく、その分製造コストの削減を図ることができる。
【００２５】
（第２実施形態）
図５は、この発明の第２実施形態に係るＰＣカードモジュールを示す斜視図である。
この実施形態のＰＣカードモジュールは、カードアダプタ２をコンボモデルとした点で上記第１実施形態と共通するが、カード３をシングルモデルにした点が上記第１実施形態と異なる。
具体的には、カードアダプタ２は、第１実施形態と同様に、ＢＢ部２３が２．４ＧＨｚと５．０ＧＨｚのうちの一の周波数帯を任意に選択し、選択した一の周波数で入力信号を変復調することができる機能を有した所謂コンボモデルである。
これに対して、カード３は周波数帯の種類数である２枚だけ用意されている。各カード３−１（３−２）のＲＦ部３１−１（３１−２）は、他の各カード３−２（３−１）のＲＦ部３１−２（３１−１）の周波数帯とは異なる一の周波数帯で機能するものである。ここでは、カード３−１のＲＦ部３１−１の周波数帯を２．４ＧＨｚ、カード３−２のＲＦ部３１−２の周波数帯を５．０ＧＨｚとした。
また、カード３−１（３−２）のアンテナ部３２−１（３２−２）は、使用周波数帯２．４ＧＨｚ（５．０ＧＨｚ）に対応したアンテナ回路３２ａを有している。
【００２６】
かかる構成により、カード３−１又はカード３−２を差し替えることで、状況に応じた適切な無線通信を行うことができる。
また、各カード３−１（３−２）をシングルモデルとすることにより、各カード３−１（３−２）のＲＦ部３１−１（３１−２）の設計が容易となり、且つその回路構造も簡略化することができる。
その他の構成，作用及び効果は上記第１実施形態と同様であるので、その記載は省略する。
【００２７】
（第３実施形態）
図６は、この発明の第３実施形態に係るＰＣカードモジュールを示す斜視図である。
この実施形態のＰＣカードモジュールは、カードアダプタ２をシングルモデルとし、カード３をコンボモデルにした点が上記第２実施形態と異なる。
具体的には、カードアダプタ２は周波数帯の種類数である２枚だけ用意されている。各カードアダプタ２−１（２−２）のＢＢ部２３−１（２３−２）は、他の各カードアダプタ２−２（２−１）のＢＢ部２３−２（２３−１）の周波数帯とは異なる一の周波数帯で機能するものである。ここでは、カードアダプタ２−１のＢＢ部２３−１の周波数帯を２．４ＧＨｚ、カードアダプタ２−２のＢＢ部２３−１の周波数帯を５．０ＧＨｚとした。
カード３は、第１実施形態と同様に、シングルモデルであり、ＲＦ部３１が、カードアダプタ２−１，２−２で用いられている２．４ＧＨｚと５．０ＧＨｚに対応している。
したがって、カード３は、カード３に接続されたカードアダプタ２−１（２−２）のＢＢ部２３−１（２３−２）に用いられている２．４ＧＨｚ（５．０ＧＨｚ）で機能する。
その他の構成，作用及び効果は上記第１及び第２実施形態と同様であるので、その記載は省略する。
【００２８】
（第４実施形態）
図７は、この発明の第４実施形態に係るＰＣカードモジュールを示す斜視図である。
この実施形態のＰＣカードモジュールは、カード３のアンテナ部３２を分離した点が上記第１ないし第３実施形態と異なる。
すなわち、カード３′とは別体の２つのアンテナ部３２−３，３２−４を用意する。そして、カード３′の前端部に第３コネクタ部３３を設けると共に、各アンテナ部３２−３（３２−４）に第４コネクタ部３４をに設ける。これにより、第３及び第４コネクタ部３３，３４を接続することで、アンテナ部３２−３（３２−４）をカード３′に脱着自在に取り付けることができるようにした。
【００２９】
具体的には、アンテナ部３２−３は、上記実施形態で適用されたアンテナ部３２と同様の構造を有する。すなわち、基板上に誘電体を積層し、当該誘電体上に金属のアンテナ回路３２ａ−１をパターン形成したもので、小型なアンテナ部である。
これに対して、アンテナ部３２−４は、アンテナ部３２−３とは異なり、基板上に直接金属のアンテナ回路３２ａ−２をパターン形成したもので、大型なアンテナ部である。
【００３０】
かかる構成により、常時は、多少アンテナ特性が劣るものの小型なアンテナ部３２−３をカード３′に接続して使用し、通信状況により、大型ではあるがアンテナ特性に優れたアンテナ部３２−４に差し替えて使用することで、より良い通信状態を得ることができる。
その他の構成，作用及び効果は上記第１ないし第３実施形態と同様であるので、その記載は省略する。
【００３１】
なお、この発明は、上記実施形態に限定されるものではなく、発明の要旨の範囲内において種々の変形や変更が可能である。
例えば、上記実施形態では、コンボモデルのＰＣカードモジュール１について説明したが、カードアダプタ２及びカード３が共に一の周波数帯のみを使用する、所謂シングルモデルのＰＣカードモジュールを発明の範囲から場外する意味ではない。
また、上記実施形態では、カードアダプタ２のＢＢ部２３としてＬＡＮ回路を適用した例について説明したが、ＢＢ部２３としてモデム回路を用いて、無線モデム通信を可能にするＰＣカードモジュールもこの発明の範囲内の態様であることは勿論である。
【００３２】
【発明の効果】
以上、詳しく説明したように、この発明のＰＣカードモジュールによれば、ＬＡＮ回路又はモデム回路を含むベースバンド部を、カードアダプタ内に収納すると共に、無線通信回路を含む高周波部をカード内に収納した構成であるので、コンピュータからの信号が、カードアダプタとカード間を蛇行することなく、ベースバンド部、高周波部、アンテナ部の順で直接伝わる。また、アンテナ部で受信された信号も、高周波部、ベースバンド部の順で直接伝わる。従って、ＰＣカードモジュールの内部の信号経路を、従来のＰＣカードモジュールに比べて極めて短くすることができるので、製造工程数やコネクタ部のピン等の部品点数を減少させることができ、また、雑音除去回路も特設する必要もなく、この結果、製造コストの低減化を図ることができるという優れた効果がある。
【００３３】
特に、請求項３ないし請求項５の発明に係るＰＣカードモジュールによれば、カードアダプタ、カードやアンテナ部を任意に選択して使用することができるので、状況に応じた適切な周波数の無線通信を行うことができるという優れた効果もある。
【図面の簡単な説明】
【図１】この発明の第１実施形態に係るＰＣカードモジュールを示す分解斜視図である。
【図２】カードアダプタとカードとの電気的構造を示す概略平面図である。
【図３】カードアダプタとカードとを組み付けた状態を示す斜視図である。
【図４】カードアダプタとカードとの電気的接続状態を示す概略平面図である。
【図５】この発明の第２実施形態に係るＰＣカードモジュールを示す斜視図である。
【図６】この発明の第３実施形態に係るＰＣカードモジュールを示す斜視図である。
【図７】この発明の第４実施形態に係るＰＣカードモジュールを示す斜視図である。
【図８】従来のＰＣカードモジュールを示す概略図である。
【図９】従来のＰＣカードモジュールにおける信号の流れを示す概略図である。
【符号の説明】
１…ＰＣカードモジュール、  ２，２−１，２−２…カードアダプタ、  ３，３′，３−１，３−２…カード、  ２０…第１コネクタ部、  ２１…第２コネクタ部、  ２３，２３−１，２３−２…ＢＢ部（ベースバンド部）、  ３０…カードコネクタ部、  ３１，１−１，３１−２…ＲＦ部（高周波部）、  ３２，３２−１〜３２−４…アンテナ部、  ３２ａ，３２ａ−１，３２ａ−２…アンテナ回路、  ３３…第３コネクタ部、  ３４…第４コネクタ部、  ４…保持機構、  ４０…ガイド、  ４１…切欠部、  ５０〜５３…信号経路パターン、  ２００…ノート型パソコン、  ２０１…カードスロット、  Ｂ…ベースバンド信号、  Ｒ，Ｒ′…受信信号、  Ｔ，Ｔ′…送信信号。
【図１】
2004362131.tif 000003
【図２】
2004362131.tif 000004
【図３】
2004362131.tif 000005
【図４】
2004362131.tif 000006
【図５】
2004362131.tif 000007
【図６】
2004362131.tif 000008
【図７】
2004362131.tif 000009
【図８】
2004362131.tif 000010
【図９】
2004362131.tif 000011